【手続補正書】
【提出日】平成27年8月27日(2015.8.27)
【手続補正１】
【補正対象書類名】特許請求の範囲
【補正対象項目名】全文
【補正方法】変更
【補正の内容】
【特許請求の範囲】
【請求項１】
被写体を撮像する撮像部と、現在位置を示す位置情報を取得する位置情報取得部と、ディスプレイと、前記現在位置から目的地までの経路を案内するナビゲーション部とを有し、前記経路の経路情報、前記位置情報及び検索依頼信号を送信する携帯型端末と、
前記経路に関する情報が記憶されたデータベースと、前記携帯型端末から受信した前記検索依頼信号をもとに前記データベースから前記経路に関する情報を取得する処理と取得した前記経路に関する情報をもとに前記経路における交通機関のチケットを予約する処理とを行う情報検索サーバであり、前記携帯型端末からの前記検索依頼信号の前記受信の後に、前記経路に関する情報の前記取得と前記チケットの前記予約とを自動的に行う、前記情報検索サーバと、を有する情報検索システムとを備え、
前記情報検索サーバは、前記経路に関する情報とともに、前記予約したチケットの情報を含む予約情報を前記携帯型端末に送信し、
前記携帯型端末は、前記ディスプレイにユーザの現在位置と前記経路とを示した状態で、前記位置情報と前記予約情報と前記経路に関する情報とに基づいて前記経路をユーザに案内することを特徴とする情報取得システム。
【請求項２】
前記経路情報は、少なくとも前記目的地と該目的地への到着日時とを含むことを特徴とする請求項１に記載の情報取得システム。
【請求項３】
前記データベースは、前記位置情報に対応して前記被写体に関する情報が記憶されており、
前記情報検索サーバは、前記携帯型端末の撮像した画像データの前記位置情報をもとに、該画像データを撮像した前記位置情報に対応した前記被写体に関する情報を前記データベースから検索することを特徴とする請求項１又は請求項２に記載の情報取得システム。
【請求項４】
前記情報検索サーバは、前記携帯型端末の撮像した前記画像データを前記現在位置又は前記目的地の入力データとすることを特徴とする請求項３に記載の情報取得システム。
【請求項５】
前記情報検索サーバは、過去に入力された前記被写体に関する情報の前記画像データを過去画像データとして前記データベースから検索し、検索した前記過去画像データを前記現在位置又は前記目的地の入力データとすることを特徴とする請求項３又は請求項４に記載の情報取得システム。
【請求項６】
前記データベースは、地図データを記憶する記憶領域を有し、
前記情報検索サーバは、入力された地図の画像データの中心部分を前記目的地として設定し、該入力された地図の画像データと同一又は類似の画像データを前記地図データから検索することを特徴とする請求項１から請求項５のいずれか一項に記載の情報取得システム。
【請求項７】
前記情報検索サーバは、
前記目的地の周辺にある宿泊施設情報を前記携帯型端末へ送信し、
前記携帯型端末は、入力される前記宿泊施設情報を表示させて、該宿泊施設情報から選択された宿泊施設の宿泊施設識別情報を前記情報検索サーバに送信し、
前記情報検索サーバは、入力される前記宿泊施設識別情報に対応する宿泊施設の予約を行うこと、
を特徴とする請求項１から請求項６のいずれか一項に記載の情報取得システム。
【請求項８】
前記情報検索サーバは、前記被写体である店舗又は前記被写体である宿泊施設の予約システムに対して、予約処理を行うことを特徴とする請求項１から請求項７のいずれか一項に記載の情報取得システム。
【請求項９】
前記情報検索サーバは、前記被写体である店舗の購入システムに対して、購入処理を行うことを特徴とする請求項１から請求項８のいずれか一項に記載の情報取得システム。
【請求項１０】
前記データベースは、前記携帯型端末の識別情報ごとのスケジュール情報が記憶される予定テーブルを有し、
前記携帯型端末は、前記スケジュール情報を管理するスケジュール管理部を有することを特徴とする請求項１から請求項９のいずれか一項に記載の情報取得システム。
【請求項１１】
前記スケジュール管理部は、前記予定テーブルにおける前記スケジュール情報のうちのアラーム時間に基づき、該アラーム時間であることの通知を行うことを特徴とする請求項１０に記載の情報取得システム。
【請求項１２】
前記スケジュール管理部は、前記経路に関する情報のうち、前記現在位置からの出発日時あるいは前記目的地への到着日時に基づき、所定の時間であることの通知を行うことを特徴とする請求項１０または請求項１１に記載の情報取得システム。
【請求項１３】
前記スケジュール管理部は、寄り道検索機能を有することを特徴とする請求項１０から請求項１２のいずれか一項に記載の情報取得システム。
【請求項１４】
前記ナビゲーション部は、前記スケジュール情報と前記予約情報とに基づいて前記経路を案内する、ことを特徴とする請求項１０から請求項１３のいずれか一項に記載の情報取得システム。
【請求項１５】
前記ナビゲーション部は、前記経路における交通機関を案内するとともに、前記交通機関の利用最終位置から前記目的地までの残りの経路を案内する、ことを特徴とする請求項１から請求項１４のいずれか一項に記載の情報取得システム。
【請求項１６】
前記ナビゲーション部は、前記現在位置から前記目的地までの前記経路のうち前記現在位置から交通機関の出発地までの第１経路と当該交通機関の経路である第２経路と当該交通機関の到着地から前記目的地までの第３経路とをそれぞれ案内し、
前記データベースには、前記経路情報に対応して前記経路に関する情報が記憶され、
前記情報検索サーバは、前記経路情報をもとに前記経路に関する情報を前記データベースから検索し、前記経路に関する情報をもとに前記第２経路における当該交通機関の予約時刻を含む予約情報を当該交通機関の予約システムから取得して、取得した前記予約情報を前記データベースに記憶させる、
ことを特徴とする請求項１５に記載の情報取得システム。
【請求項１７】
前記情報検索サーバは、前記経路に関する情報とともに、前記データベースに記憶された前記予約情報を前記携帯型端末に送信し、
前記携帯型端末は、前記位置情報、前記予約情報及び前記経路に関する情報に基づいて、前記経路を案内し、
前記ナビゲーション部は、前記位置情報と前記情報検索サーバが送信した前記予約情報とを用いて、前記現在位置から前記目的地までの案内を開始するものであって、前記現在位置に基づいてユーザが前記交通機関の出発地に到着したことを検出して前記第２経路の表示画面に前記携帯型端末の表示部の表示画面を切り替えて前記第２経路を案内する、又は前記現在位置に基づいてユーザが前記交通機関の到着地に到着したことを検出して前記第３経路の表示画面に前記表示部の表示画面を切り替えて前記第３経路を案内する際に、前記現在位置に基づく現在の時刻と前記予約情報に含まれる前記予約時刻との差に基づく差時刻情報を用いて案内する、
ことを特徴とする請求項１６に記載の情報取得システム。
【請求項１８】
出発地から目的地までの経路を案内するナビゲーション部を有し、前記経路の経路情報を送信する携帯型端末と、
前記経路に関する情報が記憶されたデータベースと、前記携帯型端末から受信した前記経路情報をもとに前記データベースから前記経路に関する情報を取得する処理と取得した前記経路に関する情報をもとに前記経路における交通機関のチケットを予約する処理とを行う情報検索サーバであり、前記携帯型端末からの前記経路情報の前記受信の後に、前記経路に関する情報の前記取得と前記チケットの前記予約とを自動的に行う、前記情報検索サーバと、を有する情報検索システムとを備え、
前記情報検索システムは、前記経路に関する情報とともに、前記予約したチケットの情報を含む予約情報を前記携帯型端末に送信し、
前記携帯型端末は、現在位置を示す位置情報に基づいて前記携帯型端末のディスプレイにユーザの現在位置と前記経路とを示した状態で前記予約情報と前記経路に関する情報とに基づいて前記経路を案内すること、及び前記交通機関のチェックインにおいて前記予約情報を用いることを特徴とする情報取得システム。
【請求項１９】
現在位置を示す位置情報を取得する位置情報取得部と、ディスプレイと、前記現在位置から目的地までの経路を案内するナビゲーション部とを有し、前記経路の経路情報、前記位置情報及び検索依頼信号を送信する携帯型端末と、
前記経路に関する情報が記憶されたデータベースと、前記携帯型端末からの前記検索依頼信号の受信の後に、前記携帯型端末から受信した前記検索依頼信号をもとに前記データベースから前記経路に関する情報を取得する処理と取得した前記経路に関する情報をもとに前記経路における交通機関のチケットを予約する処理とを行う情報検索サーバと、を有する情報検索システムとを備え、
前記情報検索システムは、前記経路に関する情報とともに、前記予約したチケットの情報を含む予約情報を前記携帯型端末に送信し、
前記携帯型端末は、前記ディスプレイにユーザの現在位置と前記経路とを示した状態で、前記位置情報と前記予約情報と前記経路に関する情報とに基づいて前記経路をユーザに案内することを特徴とする情報取得システム。
【請求項２０】
携帯型端末と情報検索システムとを備え、前記情報検索システムが前記携帯型端末から入力される経路情報に基づいて経路に関する情報を検索し、前記携帯型端末に検索結果を送信する情報取得システムであって、
前記携帯型端末は、
現在位置を示す位置情報を取得する位置情報取得部と、前記現在位置から目的地までの前記経路のうち前記現在位置から交通機関の出発地までの第１経路と前記交通機関の経路である第２経路と前記交通機関の到着地から前記目的地までの第３経路とをそれぞれ案内するナビゲーション部と、表示部とを備え、
前記情報検索システムは、
前記経路情報に対応して前記経路に関する情報が記憶されたデータベースと、前記経路情報をもとに前記経路に関する情報を前記データベースから検索し、前記経路に関する情報をもとに前記第２経路における前記交通機関の予約時刻を含む予約情報を該交通機関の予約システムから取得して、取得した前記予約情報を前記データベースに記憶させる情報検索サーバと、を備え、
前記情報検索サーバは、前記経路に関する情報とともに、前記データベースに記憶された前記予約情報を前記携帯型端末に送信し、
前記携帯型端末は、前記位置情報、前記予約情報及び前記経路に関する情報に基づいて、前記経路を案内し、
前記ナビゲーション部は、前記位置情報と前記情報検索サーバが送信した前記予約情報とを用いて、前記現在位置から前記目的地までの案内を開始するものであって、前記現在位置に基づいてユーザが前記交通機関の出発地に到着したことを検出して前記第２経路の表示画面に前記表示部の表示画面を切り替えて前記第２経路を案内する、又は前記現在位置に基づいてユーザが前記交通機関の到着地に到着したことを検出して前記第３経路の表示画面に前記表示部の表示画面を切り替えて前記第３経路を案内する際に、前記現在位置に基づく現在の時刻と前記予約情報に含まれる前記予約時刻との差に基づく差時刻情報を用いて案内する、ことを特徴とする情報取得システム。
【請求項２１】
経路に関する情報が記憶されたデータベースと、
サーバユニットであり、
被写体を撮像する撮像部と、現在位置を示す位置情報を取得する位置情報取得部と、ディスプレイと、前記現在位置から目的地までの経路を案内するナビゲーション部とを有する携帯型端末からの、前記経路の経路情報、前記位置情報及び検索依頼信号を受信し、
前記携帯型端末からの前記検索依頼信号の前記受信の後に、前記検索依頼信号をもとに前記データベースから前記経路に関する情報を取得する処理と取得した前記経路に関する情報をもとに前記経路における交通機関のチケットを予約する処理とを自動的に行い、
前記携帯型端末の前記ディスプレイにユーザの現在位置と前記経路とを示した状態で、前記位置情報と前記予約したチケットの情報を含む予約情報と前記経路に関する情報とに基づいて前記経路をユーザに案内するように、前記経路に関する情報とともに、前記予約したチケットの情報を含む予約情報を前記携帯型端末に送信する、
前記サーバユニットと、
を備えるサーバ。
【請求項２２】
ディスプレイと、
現在位置を示す位置情報を取得する位置情報取得部と、
前記現在位置から目的地までの経路の経路情報、前記位置情報及び検索依頼信号をサーバに送信する送信部であり、前記サーバでは、前記検索依頼信号の受信の後に、前記検索依頼信号をもとにデータベースから前記経路に関する情報を取得する処理と取得した前記経路に関する情報をもとに前記経路における交通機関のチケットを予約する処理とを自動的に行う、前記送信部と、
前記サーバからの、前記経路に関する情報とともに、前記予約したチケットの情報を含む予約情報を受信する受信部と、
前記ディスプレイにユーザの現在位置と前記経路とを示した状態で、前記位置情報と前記予約情報と前記経路に関する情報とに基づいて前記経路をユーザに案内する、ナビゲーション部と、
を備える携帯型端末。
【請求項２３】
携帯型端末のコンピュータに、
現在位置から目的地までの経路の経路情報、前記現在位置を示す位置情報及び検索依頼信号を情報検索サーバに送信することにより、前記情報検索サーバに前記経路における交通機関のチケットを予約させ、
前記情報検索サーバから、前記経路に関する情報とともに、前記予約させたチケットの情報を含む予約情報を受信することにより、前記携帯型端末のディスプレイにユーザの現在位置と前記経路とを示した状態で、前記位置情報と前記予約情報と前記経路に関する情報とに基づいて前記経路をユーザに案内させる、
情報取得プログラム。
【手続補正２】
【補正対象書類名】明細書
【補正対象項目名】発明の名称
【補正方法】変更
【補正の内容】
【発明の名称】情報取得システム、サーバ、携帯型端末、及び情報取得プログラム
【手続補正３】
【補正対象書類名】明細書
【補正対象項目名】０００１
【補正方法】変更
【補正の内容】
【０００１】
本発明は、情報取得システム、サーバ、携帯型端末、及び情報取得プログラムに関する。
本願は、２００９年２月２０日に出願された特願２００９−０３８３０３号に基づき優先権を主張し、その内容をここに援用する。
【手続補正４】
【補正対象書類名】明細書
【補正対象項目名】０００４
【補正方法】変更
【補正の内容】
【０００４】
本発明の態様は、ユーザの活動を充実させることが可能な情報取得システム、サーバ、携帯型端末、及び情報取得プログラムを提供することを目的とする。
【手続補正５】
【補正対象書類名】明細書
【補正対象項目名】０００５
【補正方法】変更
【補正の内容】
【０００５】
本発明の態様に従えば、被写体を撮像する撮像部と、現在位置を示す位置情報を取得する位置情報取得部と、ディスプレイと、前記現在位置から目的地までの経路を案内するナビゲーション部とを有し、前記経路の経路情報、前記位置情報及び検索依頼信号を送信する携帯型端末と、前記経路に関する情報が記憶されたデータベースと、前記携帯型端末から受信した前記検索依頼信号をもとに前記データベースから前記経路に関する情報を取得する処理と取得した前記経路に関する情報をもとに前記経路における交通機関のチケットを予約する処理とを行う情報検索サーバであり、前記携帯型端末からの前記検索依頼信号の前記受信の後に、前記経路に関する情報の前記取得と前記チケットの前記予約とを自動的に行う、前記情報検索サーバと、を有する情報検索システムとを備え、前記情報検索サーバは、前記経路に関する情報とともに、前記予約したチケットの情報を含む予約情報を前記携帯型端末に送信し、前記携帯型端末は、前記ディスプレイにユーザの現在位置と前記経路とを示した状態で、前記位置情報と前記予約情報と前記経路に関する情報とに基づいて前記経路をユーザに案内することを特徴とする情報取得システムが提供される。
【手続補正６】
【補正対象書類名】明細書
【補正対象項目名】０００６
【補正方法】変更
【補正の内容】
【０００６】
本発明の別の態様に従えば、出発地から目的地までの経路を案内するナビゲーション部を有し、前記経路の経路情報を送信する携帯型端末と、前記経路に関する情報が記憶されたデータベースと、前記携帯型端末から受信した前記経路情報をもとに前記データベースから前記経路に関する情報を取得する処理と取得した前記経路に関する情報をもとに前記経路における交通機関のチケットを予約する処理とを行う情報検索サーバであり、前記携帯型端末からの前記経路情報の前記受信の後に、前記経路に関する情報の前記取得と前記チケットの前記予約とを自動的に行う、前記情報検索サーバと、を有する情報検索システムとを備え、前記情報検索システムは、前記経路に関する情報とともに、前記予約したチケットの情報を含む予約情報を前記携帯型端末に送信し、前記携帯型端末は、現在位置を示す位置情報に基づいて前記携帯型端末のディスプレイにユーザの現在位置と前記経路とを示した状態で前記予約情報と前記経路に関する情報とに基づいて前記経路を案内すること、及び前記交通機関のチェックインにおいて前記予約情報を用いることを特徴とする情報取得システムが提供される。
【手続補正７】
【補正対象書類名】明細書
【補正対象項目名】０００７
【補正方法】変更
【補正の内容】
【０００７】
本発明の別の態様に従えば、現在位置を示す位置情報を取得する位置情報取得部と、ディスプレイと、前記現在位置から目的地までの経路を案内するナビゲーション部とを有し、前記経路の経路情報、前記位置情報及び検索依頼信号を送信する携帯型端末と、前記経路に関する情報が記憶されたデータベースと、前記携帯型端末からの前記検索依頼信号の受信の後に、前記携帯型端末から受信した前記検索依頼信号をもとに前記データベースから前記経路に関する情報を取得する処理と取得した前記経路に関する情報をもとに前記経路における交通機関のチケットを予約する処理とを行う情報検索サーバと、を有する情報検索システムとを備え、前記情報検索システムは、前記経路に関する情報とともに、前記予約したチケットの情報を含む予約情報を前記携帯型端末に送信し、前記携帯型端末は、前記ディスプレイにユーザの現在位置と前記経路とを示した状態で、前記位置情報と前記予約情報と前記経路に関する情報とに基づいて前記経路をユーザに案内することを特徴とする情報取得システムが提供される。
【手続補正８】
【補正対象書類名】明細書
【補正対象項目名】０００８
【補正方法】変更
【補正の内容】
【０００８】
本発明の別の態様に従えば、携帯型端末と情報検索システムとを備え、前記情報検索システムが前記携帯型端末から入力される経路情報に基づいて経路に関する情報を検索し、前記携帯型端末に検索結果を送信する情報取得システムであって、前記携帯型端末は、現在位置を示す位置情報を取得する位置情報取得部と、前記現在位置から目的地までの前記経路のうち前記現在位置から交通機関の出発地までの第１経路と前記交通機関の経路である第２経路と前記交通機関の到着地から前記目的地までの第３経路とをそれぞれ案内するナビゲーション部と、表示部とを備え、前記情報検索システムは、前記経路情報に対応して前記経路に関する情報が記憶されたデータベースと、前記経路情報をもとに前記経路に関する情報を前記データベースから検索し、前記経路に関する情報をもとに前記第２経路における前記交通機関の予約時刻を含む予約情報を該交通機関の予約システムから取得して、取得した前記予約情報を前記データベースに記憶させる情報検索サーバと、を備え、前記情報検索サーバは、前記経路に関する情報とともに、前記データベースに記憶された前記予約情報を前記携帯型端末に送信し、前記携帯型端末は、前記位置情報、前記予約情報及び前記経路に関する情報に基づいて、前記経路を案内し、前記ナビゲーション部は、前記位置情報と前記情報検索サーバが送信した前記予約情報とを用いて、前記現在位置から前記目的地までの案内を開始するものであって、前記現在位置に基づいてユーザが前記交通機関の出発地に到着したことを検出して前記第２経路の表示画面に前記表示部の表示画面を切り替えて前記第２経路を案内する、又は前記現在位置に基づいてユーザが前記交通機関の到着地に到着したことを検出して前記第３経路の表示画面に前記表示部の表示画面を切り替えて前記第３経路を案内する際に、前記現在位置に基づく現在の時刻と前記予約情報に含まれる前記予約時刻との差に基づく差時刻情報を用いて案内する、ことを特徴とする情報取得システムが提供される。
【手続補正９】
【補正対象書類名】明細書
【補正対象項目名】０００９
【補正方法】変更
【補正の内容】
【０００９】
本発明の別の態様に従えば、経路に関する情報が記憶されたデータベースと、サーバユニットであり、被写体を撮像する撮像部と、現在位置を示す位置情報を取得する位置情報取得部と、ディスプレイと、前記現在位置から目的地までの経路を案内するナビゲーション部とを有する携帯型端末からの、前記経路の経路情報、前記位置情報及び検索依頼信号を受信し、前記携帯型端末からの前記検索依頼信号の前記受信の後に、前記検索依頼信号をもとに前記データベースから前記経路に関する情報を取得する処理と取得した前記経路に関する情報をもとに前記経路における交通機関のチケットを予約する処理とを自動的に行い、前記携帯型端末の前記ディスプレイにユーザの現在位置と前記経路とを示した状態で、前記位置情報と前記予約したチケットの情報を含む予約情報と前記経路に関する情報とに基づいて前記経路をユーザに案内するように、前記経路に関する情報とともに、前記予約したチケットの情報を含む予約情報を前記携帯型端末に送信する、前記サーバユニットと、を備えるサーバが提供される。
【手続補正１０】
【補正対象書類名】明細書
【補正対象項目名】００１０
【補正方法】変更
【補正の内容】
【００１０】
本発明の別の態様に従えば、ディスプレイと、現在位置を示す位置情報を取得する位置情報取得部と、前記現在位置から目的地までの経路の経路情報、前記位置情報及び検索依頼信号をサーバに送信する送信部であり、前記サーバでは、前記検索依頼信号の受信の後に、前記検索依頼信号をもとにデータベースから前記経路に関する情報を取得する処理と取得した前記経路に関する情報をもとに前記経路における交通機関のチケットを予約する処理とを自動的に行う、前記送信部と、前記サーバからの、前記経路に関する情報とともに、前記予約したチケットの情報を含む予約情報を受信する受信部と、前記ディスプレイにユーザの現在位置と前記経路とを示した状態で、前記位置情報と前記予約情報と前記経路に関する情報とに基づいて前記経路をユーザに案内する、ナビゲーション部と、を備える携帯型端末が提供される。
【手続補正１１】
【補正対象書類名】明細書
【補正対象項目名】００１１
【補正方法】変更
【補正の内容】
【００１１】
本発明の別の態様に従えば、携帯型端末のコンピュータに、現在位置から目的地までの経路の経路情報、前記現在位置を示す位置情報及び検索依頼信号を情報検索サーバに送信することにより、前記情報検索サーバに前記経路における交通機関のチケットを予約させ、前記情報検索サーバから、前記経路に関する情報とともに、前記予約させたチケットの情報を含む予約情報を受信することにより、前記携帯型端末のディスプレイにユーザの現在位置と前記経路とを示した状態で、前記位置情報と前記予約情報と前記経路に関する情報とに基づいて前記経路をユーザに案内させる、情報取得プログラムが提供される。
【手続補正１２】
【補正対象書類名】明細書
【補正対象項目名】００１２
【補正方法】変更
【補正の内容】
【００１２】
本発明の態様によれば、ユーザの活動を充実させることが可能な情報取得システム、サーバ、携帯型端末、及び情報取得プログラムが提供される。